(57)【要約】【課題】高圧の作動油が作用しても、副リップ部表面と軸の摺動表面間に存在するグリースや作動油が少なくなり、摺動抵抗が増大し、鳴き（異音）が発生する事を効果的に回避すること目的としている。【解決手段】２部材間の環状隙間を密封するものであって、前記２部材のうちの一方の部材に嵌合固定され、他方の部材と密封摺動する密封装置であって、円筒部とフランジ部とよりなる断面Ｌ字状の金属材製の補強環と、前記円筒部の周面に一体的に設けられ、前記一方の部材に嵌合固定される弾性材製の嵌合部と、前記フランジ部に一体的に設けられ、前記他方の部材と密封摺動する主リップ部、副リップ部及びダストリップ部とよりなる弾性材製シール部材を有し、前記副リップ部に突起部を形成した密封装置において、前記突起部が、前記副リップ部の大気側傾斜面及び油側傾斜面に相反する傾斜角度を有するヘリカル突起を設けたことを特徴とする。【選択図】図１
2015081658.tif 000002
【特許請求の範囲】
【請求項１】
互いに同心的に相対移動自在に組み付けられる２部材（１）、（２）間の環状隙間を密封するものであって、前記２部材（１）、（２）のうちの一方の部材（１）に嵌合固定され、他方の部材（２）と密封摺動する密封装置であって、円筒部（３１）とフランジ部（３２）とよりなる断面Ｌ字状の金属材製の補強環（３）と、前記円筒部（３１）の周面に一体的に設けられ、前記一方の部材（１）に嵌合固定される弾性材製の嵌合部（４１）と、前記フランジ部（３２）に一体的に設けられ、前記他方の部材（２）と密封摺動する主リップ部（４２）、副リップ部（４３）及びダストリップ部（４４）とよりなる弾性材製シール部材（４）を有し、前記副リップ部（４３）に突起部（４５）を形成した密封装置において、
前記突起部（４５）が、前記副リップ部（４３）の大気側傾斜面（４３１）及び油側傾斜面（４３２）に相反する傾斜角度を有するヘリカル突起（４６）、（４７）を設けたことを特徴とする密封装置。
【請求項２】
前記ヘリカル突起（４６）、（４７）が円周上等配に複数回向きを変えて存在することを特徴とする請求項１記載の密封装置。
【発明の詳細な説明】
【技術分野】
【０００１】
本発明は、密封装置に係り、更に詳しくは、パワステロッドシールに用いられる密封装置に関するものである。
【背景技術】
【０００２】
従来より、ハウジング部材と、該ハウジング部材に挿通される軸の間を密封する密封装置として、図３に示されるような密封装置が知られている。
【０００３】
この種の密封装置は、例えばパワステロッドシールに適用されるものであり、高圧のオイル等の作動油の作用により、一方の部材であるハウジング１００と、他方の部材である軸２００が軸方向に相対移動及び揺動回転するもので、軸２００の摺動表面に、シール部材４００の主リップ部４２０及び副リップ部４３０が当たり、油側Ｙ（図上左側）からの作動油の漏れを防止している。
また、軸２００の摺動表面に、シール部材４００のダストリップ部４４０が当たり、大気側Ｘ（図上右側）からのダストの浸入を阻止している。
【０００４】
この種の密封装置は、円筒部３１０とフランジ部３３０とより構成されている断面Ｌ字状の補強環３００に、ゴム状弾性材製のシール部材４００が、一体的に接着されている。
そして、このシール部材４００は、フランジ部３３０の内周側に設けた主リップ部４２０、副リップ部４３０及びダストリップ部４４０と、補強環３００の外周側に設けたハウジング部材１００に嵌合する際の密封性を維持する嵌合部４１０とを備えている。
これら主リップ部４２０、副リップ部４３０及びダストリップ部４４０と嵌合部４１０とは、加硫成形により成形される。
【０００５】
しかし、高圧の作動油が作用すると、副リップ部４３０が軸２００の摺動表面にベタ当たり（幅広い平面で接触）となり、副リップ部４３０表面と軸２００の摺動表面間に存在するグリースや作動油が少なくなる結果、摺動抵抗が増大すると共に鳴き（異音）が発生する問題を招来した。
この対策として、副リップ部４３０の表面を梨地（表面に微細な凹凸を形成）処理する方法が提案された。
しかし、使用と共に梨地が摩耗し効果が薄れる問題と、梨地を形成する為の金型管理が難しい問題を招来した。
【０００６】
この対策として、図４に示す様に、副リップ部４３０の大気側Ｘ（図上右側）傾斜面にのみヘリカルな突起４５０を設ける態様が提案された。（特許文献１）
【０００７】
しかし、この種密封装置に於いても、高圧の作動油が作用した際の、副リップ部４３０が軸２００の摺動表面にベタ当たり（幅広い平面で接触）となる現象は多少緩和されたが、
副リップ部４３０表面と軸２００の摺動表面間に存在するグリースや作動油が少なくなる結果、摺動抵抗が増大すると共に鳴き（異音）が発生する問題を根本的に解決する事は出来なかった。
【０００８】
これは、副リップ部４３０の大気側Ｘ（図上右側）傾斜面にのみヘリカルな突起４５０を設ける態様としても、この突起４５０は、作動油を油側Ｙ（図上左側）に押し戻す作用はしても、副リップ部４３０の摺動面上にグリースや作動油を留める作用は無く、また、副リップ部４３０の油側Ｙのベタ当たり（幅広い平面で接触）も回避出来ないからである。
【先行技術文献】
【特許文献】
【０００９】
【特許文献１】特開２００２−２２０２８号公報
【発明の概要】
【発明が解決しようとする課題】
【００１０】
本発明に係る密封装置は、高圧の作動油が作用しても、副リップ部が軸の摺動表面にベタ当たり（幅広い平面で接触）となり、副リップ部表面と軸の摺動表面間に存在するグリースや作動油が少なくなり、摺動抵抗が増大し、鳴き（異音）が発生する事を効果的に回避すること目的としている。
【課題を解決するための手段】
【００１１】
本発明の密封装置は、互いに同心的に相対移動自在に組み付けられる２部材間の環状隙間を密封するものであって、前記２部材のうちの一方の部材に嵌合固定され、他方の部材と密封摺動する密封装置であって、円筒部とフランジ部とよりなる断面Ｌ字状の金属材製の補強環と、前記円筒部の周面に一体的に設けられ、前記一方の部材に嵌合固定される弾性材製の嵌合部と、前記フランジ部に一体的に設けられ、前記他方の部材と密封摺動する主リップ部、副リップ部及びダストリップ部とよりなる弾性材製シール部材を有し、前記副リップ部に突起部を形成した密封装置において、前記突起部が、前記副リップ部の大気側傾斜面及び油側傾斜面に相反する傾斜角度を有するヘリカル突起を設けたことを特徴とする。
【発明の効果】
【００１２】
本発明は、以下に記載されるような効果を奏する。
請求項１記載の発明の密封装置によれば、突起部が、副リップ部の大気側傾斜面及び油側傾斜面に形成されている為、高圧の作動油が作用しても、副リップ部が軸の摺動表面にベタ当たり（幅広い平面で接触）となり、副リップ部表面と軸の摺動表面間に存在するグリースや作動油が少なくなり、摺動抵抗が増大し、鳴き（異音）が発生する事を効果的に回避することが出来る。
更に、突起部が、副リップ部の大気側傾斜面及び油側傾斜面に相反する傾斜角度を有するヘリカル突起としている為、グリース及び作動油が副リップ部に留まる様に作用する結果、摺動抵抗が増大し、鳴き（異音）が発生する事をより効果的に回避することが出来る。
更に、請求項２記載の発明の密封装置によれば、軸が両方向に回転したとしても目的の効果が得られる。
【図面の簡単な説明】
【００１３】
【図１】本発明に係る密封装置の縦断面図。
【図２】図１の副リップ部の一部を展開した説明図。
【図３】従来技術に係る密封装置の縦断面図。
【図４】従来技術に係る他の密封装置の縦断面図。
【発明を実施するための形態】
【００１４】
以下、本発明を実施するための最良の形態について説明する。
図１及び図２に基づき発明を実施するための最良の形態について説明する。
【００１５】
図１において、本発明に係る密封装置は、例えばパワステロッドシールに適用されるものであり、高圧のオイル等の作動油の作用により、一方の部材であるハウジング１と、他
【００１６】
方の部材である軸２が軸方向に相対移動及び揺動回転運動をするもので、軸２の摺動表面に、弾性材製のシール部材４の主リップ部４２及び副リップ部４３が当たり、油側Ｙから大気側Ｘへの作動油の漏れを防止し、ダストリップ部４４が当たり、大気側Ｘから油側Ｙへのダストの浸入を効果的に阻止している。
【００１７】
この様に、ハウジング１に嵌合固定され、軸２と密封摺動する密封装置であって、円筒部３１とフランジ部３２とよりなる断面Ｌ字状の金属材製の補強環３と、この円筒部３１の周面に一体的に設けられ、ハウジング１に嵌合固定される弾性材製の嵌合部４１と、フランジ部３２に一体的に設けられ、軸２と密封摺動する主リップ部４２、副リップ部４３及びダストリップ部４４とよりなる弾性材製シール部材４を有し、副リップ部４３に突起部４５を形成した基本構成を備えている。
【００１８】
そして、この突起部４５は、副リップ部４３の大気側傾斜面４３１及び油側傾斜面４３２に相反する傾斜角度を有するヘリカル突起４６、４７である。
この様に、突起部４５が、副リップ部４３の大気側傾斜面４３１及び油側傾斜面４３２に形成されている為、高圧の作動油が作用しても、副リップ部４３が軸２の摺動表面にベタ当たり（幅広い平面で接触）となり、副リップ部４３表面と軸２の摺動表面間に存在するグリースや作動油が少なくなり、摺動抵抗が増大し、鳴き（異音）が発生する事を効果的に回避することが出来る。
【００１９】
更に、突起部４５が、副リップ部４３の大気側傾斜面４３１及び油側傾斜面４３２に相反する傾斜角度を有するヘリカル突起４６、４７としている為、グリース及び作動油が副リップ部４３に留まる様に作用する結果、摺動抵抗が増大し、鳴き（異音）が発生する事をより効果的に回避することが出来る。
【００２０】
このヘリカル突起４６、４７の高さは０．００５〜０．１ｍｍ、傾斜角度は、副リップ部４３の頂部の環状リップラインに対し１０〜４５度が好ましい。
また、図１及び図２から明らかなように大気側傾斜面４３１に設けたヘリカル突起４６と油側傾斜面４３２に設けたヘリカル突起４７の傾斜角度は、副リップ部４３の頂部の環状リップラインに対し相反する傾斜角度となっており、ヘリカル突起４６の傾斜角度とヘリカル突起４７の傾斜角度を足すと１８０度に成る構成となっている。
【００２１】
この様な構成とする事により、図２に示す様に、矢印方向（図上左側）に軸２及びグリースと作動油が移動すると、油側Ｙに存在するグリースと作動油は、ヘリカル突起４７により大気側Ｘ（図上下方）に移動させられるが、ヘリカル突起４６により油側（図上上方）に押し戻される。
【００２２】
この結果、グリースと作動油は、強制的に副リップ部４３の領域内に留まる為、副リップ部４３表面と軸２の摺動表面間に存在するグリースや作動油が少なくなり、摺動抵抗が増大し、鳴き（異音）が発生する事を効果的に回避することが出来る。
また、図１に示す様に、ヘリカル突起４６、４７が円周上等配に複数回向きを変えて存在する構成とする事により、軸が両方向に回転したとしても目的の効果が得られる。
【００２３】
また、本発明は上述の発明を実施するための最良の形態に限らず本発明の要旨を逸脱することなくその他種々の構成を採り得ることはもちろんである。
【産業上の利用可能性】
【００２４】
本発明に係る密封装置は、パワステロッドシールに好適に用いられる。
【符号の説明】
【００２５】
１    ハウジング
２    軸
３    補強環
４    シール部材
３１  円筒部
３２  フランジ部
４１  嵌合部
４２  主リップ部
４３  副リップ部
４４  ダストリップ部
４５  突起部
４６、４７ヘリカル突起
４３１大気側傾斜面
４３２油側傾斜面
【図１】
2015081658.tif 000003
【図２】
2015081658.tif 000004
【図３】
2015081658.tif 000005
【図４】
2015081658.tif 000006